(57)【要約】      （修正有）【課題】迅速にネジ締めを行うことができるとともに増し締めせずに固定できる楕円形ボルトを提供する。【解決手段】楕円形状のボルト頭部に３箇所の穴を設けた楕円形ボルトは、予めナツト８を挿入し、ボルト頭部の３つの穴にサシ金ボルトをネジを切りながら挿入し完全に固定する。ボルト頭部近くにハイパーロードナツト（登録商標）ＫＨＩ、スプリングナツト、必要に応じてチタン素材をボルト自体、ナツト類に使用した状態にして、ボルトの破壊キレツなどを軽減して完全に固定する。【選択図】図１
0003235125.tif 000002
【実用新案登録請求の範囲】
【請求項１】
ボルトにエリプス型の形状をもち、頭部に３個所の穴があるのを設けたエリプス型ボルトでステンレス鋼Ａ２−５０、Ａ４−５０を持った強度的にも非常にすぐれた素材をもちます。
【請求項２】
ボルトのネジ山２〜３ｍｍの全ネジを使用し強度的にすぐれ、ダイアモンドのような非常に耐久性、性能的に期待できます。
【請求項３】
ボルトの素材としては、ＳｉＣ半導体、シリコン半導体、ゲルマニウムメツキ素材、ＳＵＳ３０４、ＳＵＳ４００などステンレス鋼を使用すると無限の可能性が約束されます。
【請求項４】
超高・低温域での性能が増し、電気電導性、絶縁性、塩害、腐食性、振動、衝撃などに耐久性と持続性が増します。
【請求項５】
エリプス型ボルトは、引っ張り、応力、圧縮に対して抜群の威力を発揮し、金属疲労などに耐久性があります。
ネジの軸部と頭部のさかい目にハイパーロードナツトＫＨＩそれにボルト軸部のナツトと組み合わせる事でボルトのゆるみ、強い振動を吸収し、又、人体に良い影響があります。
【請求項６】
又、ハイパーロードナツトＫＨＩとボルト軸のナツトを組み合わせると大変有効に扱かえ、ボルト自体の振動、ゆるみに対し効用、効果をうみ出します。
【請求項７】
ハイパーロードナツトＫＨＩは、ｄ  Ｍ１２、Ｐ１、７５、Ｓ１９、
0003235125.tif 000009
材ボルト頭部、第２の部材ボルト軸部があり、大変有効に取り扱えます。これにハイパーロードナツトＫＨＩが加わり、腰通の方には、うって付けのヒツト商品になる。
【請求項８】
ボルト頭部と軸力に対する応力、ひずみ、引っ張り、圧縮に対し、非常にすぐれた性能を発揮します。そ性・弾性域の特性を持ち、ボルト自体の耐久力と持続性をかね備えます。
【請求項９】
ボルト頭部７、にＬ型工具を使用できる穴を設けた。又、ボルトの側面に４ｍｍの上部、７ｍｍの下部に段差を付けた。ナツト２３、５ｍｍ  φ２２〜２３、５ｍｍとハイパーロードナツトＫＨＩを組み合わせる事により、ボルト自体の振動、ゆるみに対して迅束に対応し、人体に有益な影響をもたらします。
【請求項１０】
エリプス型ボルトは、だ円形のボルト頭部とハイパーロードナツトＫＨＩとナツトとを組み合わせた全長４２ｍｍの形状と大きさを持ちます。このボルトは、垂直・水平方に対し迅束に対応し、水圧、高振動に対するゆるみがありません。
【請求項１１】
ハイパーロードナツトＫＨＩの他、スプリングナツトを組み合わせると、よりいっそう効果適面です。
又鉄粉が付着することがなく、は車のようなかみ合わせが有り、大変すぐれています。ナツトにインサートナツトなどのプスチツク素材を使用すると軽量化がはかれます。
【請求項１２】
ナツトには高速時代に対応したハードロツクナツトは、ボルトのゆるみに時前に、対応したナツトをボルト軸に組み合わせ、スプリングナツト、ハイパーロツトナツトＫＨＩをそれぞれに組み合わせる事で、ＪＲ鉄道、高速走行車両などに無くてはならない、形状と組み合わせである。
【請求項１３】
0003235125.tif 000010
１、２は福サシ金、３は主サシ金です。形状は長方形のかたちをして折り、部材の部を３点でささえます。
又６は、全ネジを使用しており、部材を複数に入れる事ができ、ハードロツクナツト、スプリングナツト、ハイパーロツトナツトＫＨＩをそれぞれ組み合わせることができます。
【請求項１４】
エリプス部分に３ケ所の穴があいており、部材を用いるだけでなく、弾性域としての耐久性と持続力が増していきます。
ボルト軸に対しては、塑性域としての力が働応力に対して非常に強い力強さがあります。
【請求項１５】
９、４５°ないし１２０°の角度を要します。６、三角ネジ山を一般的に使用し、必要に応じて台形ネジを使用します。Ｐ＝２  ＴＲ１２の規格を使用。又、ステンレス鋼Ａ２−５０、Ａ４−５０を用いる事でボルト自体耐久性、機能性が増し、非常にすぐれた特性を約束します。
【考案の詳細な説明】
【考案の詳細な説明】
【０００１】本考案は、ボルトにスプリングナツト、ハイパーロードナツトを設けた、エリプス型ボルトに関するものである。
【背景技術】
【０００２】ボルト軸部、スプリングナツト、ハイパーロードナツトにより組み合わせによることは別々に成って居。
【先行技術文献】
実登３２２８５６６
【０００３】Ｆ２４  ７／００（２００６、０１）
【特許文献１】実登３２２８５４０
【０００４】Ｆ２７Ｆ  ７／００  Ａ
【非特許文献】
【考案の概要】
【０００５】Ｈ  φ２７、７ｍｍ、厚さ８ｍｍ、３４ｍｍ全ネジを使用  Ｐ＝２〜３ｍｍ  ナツト  ２３、５ｍｍ  φ２２〜２３、５ｍｍ、ハイパーロードナツトＫＨＩ、ス
0003235125.tif 000003
規格を要して行い、高束走行車リヨウなどのボルトのゆるみがなく腰痛かんわなどに人体に対して良い影響があります。
【課題を解決するための手段】
【０００６】本考案は、だ円形ボルト頭部に１、２、３に３つの穴を設け、側面に１つの穴を設け、７にＬ型工具との組み合わせて使用することは勿論、負荷に対する荷重はそ性、弾性により、耐久性が増し、より持続性がいち段と増します。
【考案の効果】
【０００７】だ円形ボルト、エリプス型ボルトは、応力、ひずみ、ボルト自体のゆるみに対し迅速且つ合理的に行う事が可能です。
【図面の簡単な説明】
【０００８】
【図１】本考案のエリプス型ボルトの実施例を示す側面図である。
【図２】本ボルトの平面図である。
【０００９】
0003235125.tif 000004
のネジ山を設け、右ネジである。
ボルト頭部７、側面からＬ型工具とを組み合わせてネジを閉めるのです。【００１０】
0003235125.tif 000005
ボルト頭部の部材１、２、３、ボルト軸部部材はハードロツクナツト、スプリングナツト、ハイパーロツトナツトＫＨＩをそれぞれ組み合わせる事ができます。【００１１】ボルト軸部のネジ山は頂点で台形のかたちをし、Ｐ＝２、００ボルト軸がＭ１４で、ＳｉＣ半導体、シリコン半導体、ゲルマニウムメツキ素材、ＳＵＳ３０４、ＳＵＳ４００などステンレス鋼を使用された、効用、効果が期待されます。【００１２】本考案の実施例は上述の如き構成からなるものであるから、ボルト軸部のわきにハイパーロツドナツトＫＨＩそれに  ボルト軸部のナツトと組み合わせる事でボルトのゆるみを極度におさえ、強い振動、衝撃、水圧、超低音塩害、腐食性に充分に耐久力がある。【００１３】食料品、工業製品、印刷業、リハビリテーションでの応用があり、多種多様に使用され、エリプス型ボルトとしての高速時代の車リヨウなどの、ボルト自体の破壊、亀裂、ゆるみがないボルトである。【００１４】ボルト軸部における塑性域、ボルト頭部の弾性域による耐久力と持続性がより強く増す。ボルト頭部は軸部に対し、上側と下側が３ｍｍ程、開きがあります。【００１５】６のクランク角７５°の角度で頂点がが台形の形をしたネジであり、は車のようなかみ合わせがあり、鉄粉やゴミが付着しないボルト。【００１６】６のクランク角が左右、上下にネジが切れて行く、振動ゆるみもなく、ゴミやかすが付くことが無くネジのめネジ、雄ネジとても良いのである。【００１７】自動車業界における、車体の足回わり、油圧関係、土木・建築関係、その他の部類に使用され、エリププス型ボルトは、多種多様な部門に対し幅広く使用されます。【００１８】ボルト頭部、弾性素材を示し、それぞれ３箇所に部材を使用した、特殊なボルトである。ハイパーロードナツトＫＨＩの他、スプリングナツトを組み合わせると、よりいっそう効果適面である。上述のように、ボルト頭部近くにこれらを設ける。【００１９】本考案のボルトは、極度にゆるむところ、振動、衝撃が無くて済み、人体に良い影響を与え、土木建築、トラツク輪送、高速車リヨウに最適である。【００２０】ＳｉＣ半導体、ステンレス鋼、ゲルマニウムメツキ素材を必要なところに使用する事で耐久性、持続性が強く増す。人体に良く、合理性が増し、サビに強いのである。【００２１】ダイアモンドの様なかたさと強さにすぐれ、又、絶緑性にもすぐれ、大変良いエリプス型ボルトである。ハイパーロードナツトＫＨＩ、スプリングナツトを組み合わせると、ボルト・ナツトのゆるみが無いボルトである。【００２２】１、２、３に長方形のかたちをした部材をたてに接続し
0003235125.tif 000006
１、７ｍｍのネジ山を設けるのである。３が主力で１、２が副次的に設け１、２、３が互いに力を合わせたかたちでありひとつの合力として、ベクトル的にお互いに助け合い、負荷としてのニーズにこたえる。【００２３】ゲルマニウムメツキ素材であるので人体にやさしく強度的にも非常にすぐれ軽量、小型、安価が約束され、予知できない非常の事態に対して迅速にたい処できるボルト・ネジである。【００２４】各種工業部門、自動車部門、高速車リヨウ、鉄道輪送車リヨウに於いてかなり多く使用されボルトとしての主要な部類副次的に於いて多種多様に使用されなくてはならない存在である。【００２５】ボルトネジを高電圧素材に使用され安全性が約束される。
ゲルマニウム素材ＳｉＣ半導体、ＳＵＳ３０４、ＳＵＳ４００などステンレス鋼を使用した大変すぐれた機能性、持続性が発揮できる。【００２６】上述の様にボルト素材としては導体と絶録体の中間素材である。半導体で強度的にも大変すぐれた素材である。
２万Ｖの高電圧にも耐えその上ダイアモンドのようにじようぶで頑丈である。【００２７】７にＬ型工具を使用してボルト・ネジをまわして切りなが
0003235125.tif 000007
これにＬ型工具を当てネジを閉めるのである。【００２８】ボルト頭部側面にある穴は円筒形をしたＬ型工具用の穴でハイパーロードナツトＫＨＩ、スプリングナツトＬ型工具をそれぞれ組み合わせたエリプス型ボルトである。【００２９】ＳｉＣ半導体素材を使用すると耐電圧に適し大変有効に使用され、電気用具のボルトとしても使用され又超高速回転をするボルトとしても使用され続けていくこと間誤ちがいありません。【００３０】６、ハイパーロードナツトＫＨＩ、スプリングナツトを組み合わせる事でねじを緩みにくくしていき、又脱落しにくくできるその他絶録素材としても活用します。【００３１】又スプリングナツトを使用すると緩みを極度におさえ人体に於ける腰痛を軽減することができる。必要に応じて、チタン素材などを使用すると効果適面である。【００３２】
0003235125.tif 000008
【００３３】ボルトの素材としてはＳｉＣ半導体シリコン半導体を組み合わせたことにより耐久性、高低温域での使要が可能であり機能性、持続性が増し効果適面である。【００３４】ボルトの破壊、キレツ、折れ、応力、ひずみ、ねじれなどに於いてチタン素材を使用すると非常にすぐれたボルトになる。破壊の度合いが少なくて済むのである。【００３５】超高速回転をする時に使用されるハイパーロードナツトＫＨＩスプリングナツトとボルトにチタン素材を使用し、又、ハイパーロードナツトＫＨＩ、スプリングナツトにもチタン素材を使用する事で非常にすぐれたボルトに成るのである。【００３６】ボルトには、振動、衝撃、塩害、腐食性、寄生振動などにより、ゆるみやガタが生じるので、ハイパーロードナツトＫＨＩ、スプリングナツトをエリプス型ボルトに組み合わせ材質としては、ＳｉＣ半導体、ステンレス鋼、ゲルマニウムメツキ素材、チタン素材などを必要に応じてこの素材を使用するのである。
【図１】
0003235125.tif 000011
【図２】
0003235125.tif 000012
【手続補正書】
【提出日】令和3年6月4日(2021.6.4)
【手続補正１】
【補正対象書類名】実用新案登録請求の範囲
【補正対象項目名】全文
【補正方法】変更
【補正の内容】
【実用新案登録請求の範囲】
【請求項１】
ボルトに楕円の形状をもち、頭部に３個所の穴があるのを設けた楕円形ボルトでステンレス鋼３０４４００の素材を持ち、強度的、機能的にすぐれた楕円形ボルトであり、その他腰痛などの成人病人体に良い影響を与え、合理性にあった事を特徴とする楕円形ボルトである。
【請求項２】
ボルトのネジ山２〜３ｍｍの全ネジを使用し、ＳＵＳ３０４、ＳＵＳ４００を使用する事により、強度的、機能性、耐久性にすぐれ、ダイアモンドのような耐久性、持続性非常にすぐれた楕円形ボルト。その他他方面に非常に使用される請求項１に記載の楕円形ボルトである。
【請求項３】
ボルトの素材としては、ＳｉＣ半導体、シリコン半導体、ゲルマニウム  メッキ素材、ＳＵＳ３０４、ＳＵＳ４００などを使用すると耐久性、耐温性、持続性、機能的、合理的、電気電導性、絶縁性、塩害、腐食性、振動性など、地球上、宇寅開発、海洋資源開発など他種多に持続性、機能に於いて請求項２に記載の楕円形ボルトである。
【請求項４】
超高温・低温域での性能が増し、電気電導性、絶縁性  塩害、腐食性、振動、衝撃などに耐久性、持続性が大変増大し、合理性が増す事を特徴とする請求項３に記載の楕円形ボルト。
【請求項５】
頭部に楕円形をもち、ボルト軸部は円筒形から成るボルトで、引っ張り、応力、圧縮に対して抜群の威力を発揮し、金属疲労などに耐久性があり、ボルト頭部とボルト軸部のさかい目にハイパーロードナットＫＨＩそれにボルト軸部のところに、スプリングナット、ハイハパーロードナットを組み合わせた事を特徴とする請求項１〜４に記載の楕円形ボルト。
【請求項６】
楕円形ボルトにハイパーロードナットＫＨＩ、スプリングナットを組み合わせるとボルト自体の振動、ゆるみに対して、効用、効果をうみ出す事を特徴とする請求項５に記載の楕円形ボルト。
【請求項７】
ハイパーロードナットＫＨＩはｄ  Ｍ  １２、  Ｐ  １、７５、Ｓ  １９
0003235125.tif 000013
材ボルト頭部、第２の部材ボルト軸部があり、楕円形、ボルト軸部円筒形、ハイパーロードナットＫＨＩ、スプリングナットなどを組み合わせた事を特徴とする請求項６に記載の楕円形ボルト。
【請求項８】
楕円形ボルト頭部と円筒形のボルト軸力に対する応力、ひずみ、引っ張り、圧縮に対し、非常にすぐれた性能を発揮します。そ性・弾性域を持ち、耐久性、持続性がある事を特徴とする請求項７に記載のボルト。
【請求項９】
楕円形ボルト頭部７、にＬ型工具を使用できる穴を設け、楕円形ボルト頭部側面に４ｍｍの上部７ｍｍの下部に段差を付け、ナット２３．５ｍｍ  φ２２〜２３．５ｍｍとハイパロードナットＫＨＩ、スプリングナットの円形を組み合わせ、ボルト自体の振動、ゆるみに対応し迅速に対応する事を特徴とるる請求項８に記載の楕円形ボルト。
【請求項１０】
楕円形ボルトは、楕円形の頭部と円筒形のボルト軸部にハイパーロードナット、スプリングナットの円形の輪と組み合わせ、垂直・水平方向に対して迅速に対応し、水圧、高振動に対するゆるみが一向に無い事を特徴とする請求項９に記載の楕円形ボルト。
【請求項１１】
円形のハイパーロードナットＫＨＩ、円形のスプリングナットを組み合わせると、振動性、ゆるみ、ガタに大変効果的である事を特徴とする請求項１０に記載の楕円形ボルト。
【請求項１２】
楕円形ボルトは、高速時代に対応したスプリングナット、ハイパーロードナットＫＨＩによる円筒形、円形により組み合わせた形状を持ち、ＪＲ鉄道、高速走行車両などその他、非常に多くの所に使用される事を特徴とする楕円形ボルト。
【請求項１３】
楕円形ボルト頭部の部材１、２はサシ金φ２ｍｍ  穴深さ６．５ｍｍ  １．７ｍｍのネジ山を設け、３、φ３ｍｍ  穴深さ７．５ｍｍ  １．７ｍｍのネジ山を設けた。１、２は福サシ金、３は主サシ金です。形状は長方形形をしており部材の部３点でささえます。６は全ネジを使用し、楕円形ボルトわきに円形のハードロックナット、スプリングナット、ハイパーロードナットＫＨＩをそれぞれ組み合わせた事を特徴とする請求項１２に記載の楕円形ボルト。
【請求項１４】
楕円形ボルト頭部に３ケ所の穴があいており、部材を用いるだけでなく、弾性域、ボルト軸部に対しては塑性域としての力が働、応力に対して非常に強い耐久性、持続性が増す事を特徴とする請求項１３に記載の楕円形ボルト。
【請求項１５】
９、４５°から１２０°の角度を要したボルト軸部最右はじの部分。６、ネジ有り部分の三角ネジ山、必要に応じて台形ネジを使用する事は、必要不可欠である。
Ｐ＝２  ＴＲ１２の規格を使用。ステンレス鋼ＳＵＳ３０４、４００を使用する事で、大変すぐれた耐久性機能性を持った事を特徴とする請求項１４に記載の楕円形ボルト。
【手続補正書】
【提出日】令和3年8月20日(2021.8.20)
【手続補正１】
【補正対象書類名】実用新案登録請求の範囲
【補正対象項目名】全文
【補正方法】変更
【補正の内容】
【実用新案登録請求の範囲】
【請求項１】
ボルトに頭部８ｍｍのあつさを持った楕円の形状を持ちステンレス鋼ＳＵＳ３０４又はＳＵＳ４００の素材をもち、強度的にも非常にすぐれた特徴とするボルト。
【請求項２】
ボルトのネジ山２〜３ｍｍの全ネジを使用し強度的にすぐれ、ダイアモンドような持続性、耐久性、機能的すぐれた事を特徴とする請求項１に記載の楕円形ボルト。
【請求項３】
ボルトの素材としては、絶縁性、超低温性、超高温性、耐久性、電気関係などに使用され、ＳｉＣ半導体、シリコン半導体、ゲルマニウメツキ素材などが使用されることを特徴とする請求項２に記載の楕円形ボルト。
【請求項４】
超高・低温域での性能が増し、電気電導性絶縁性、塩害、腐食性、振動、衝撃などに耐久性、持続性、機能性が増すことを特徴とする請求項３に記載の楕円形ボルト。
【請求項５】
楕円形ボルトは、引っぱり、応力、圧縮に対して抜群の威力を発揮し、金属疲労などに機能的、耐久性があり、ネジの軸部円とう形、頭部とあつさ８ｍｍによる楕円形のさかい目に「ハイパーロードナツトＫＨＩ（登録商標）」それにボルト軸部のナツトと組み合わせる事でボルトのゆるみ、強い振動を吸収し、又、人体に良い影響ある事を特徴とする請求項４に記載の楕円形ボルト。
【請求項６】
又、「ハイパーロードナツトＫＨＩ（登録商標）」とボルト軸のナツトを組み合わせ、ボルト自体の振動、ゆるみに対し、機能性、持続性がある事を特徴とする請求項５に記載の楕円形ボルト。
【請求項７】
「ハイパーロードナットＫＨＩ（登録商標）」はｄＭ１２
0003235125.tif 000014
行い、第１の部材ボルト頭部楕円形、第２の部材ボルト軸部円とう形があり人間工学的にも医学的による腰通の方になくてはならないことを特徴とする請求項６に記載の楕円形ボルト。
【請求項８】
ボルト頭部楕円形と軸力円筒形に対する応力、ひずみ、引っ張り、圧縮に対し、非常にすぐれた性能を発揮します。そ性・弾性域に対し、耐久性、持続性があることを特徴とする請求項７に記載の楕円形ボルト。
【請求項９】
ボルト頭部７、にＬ型工具を使用できる穴を設けた。又、ボルトの側面に４ｍｍの上部、７ｍｍの下部に段差を付けた。ナット２３．５ｍｍφ２２〜２３．５ｍｍと「ハイパーロードナツトＫＨＩ（登録商標）」を組み合わせる事により、ボルト自体の振動、ゆるみに対して迅束に対応し、人体に有益な影響をもたらす事を特徴とする請求項８に記載の楕円形ボルト。
【請求項１０】
楕円形ボルト頭部とそのあつさ８ｍｍと「ハイパーロードナツトＫＨＩ（登録商標）とナットとを組み合わせた全長４２ｍｍの形状と大きさを持ち、垂直・水平方向に対し迅束に対応し、水圧、高振動に対するゆるみがない事を特徴とする請求項９に記載の楕円形ボルト。
【請求項１１】
「ハイパーロードナツトＫＨＩ（登録商標）」の他、スプリングナツトを組み合わせると、機能的、持続性的確性にすぐれ、鉄粉の付着、ナツトにインサートナツト、プラスチック素材を使用することにより軽量化がはかれる事を特徴とする請求項１０に記載の楕円形ボルト。
【請求項１２】
ナツトには、高速時代に対応したハードロツクナツトは、ボルトのゆるみに時前に対応したナツトをボルト軸に組み合わせ、スプリングナツト、「ハイパーロードナツトＫＨＩ（登録商標）」楕円形ボルト頭部表面からあつさ８ｍｍが楕円形でボルト軸部は円筒形、スプリングナツトは円形のかたちをして折り、ＪＲ鉄道、高速走行車リヨウなどにはなくてはならないことを特徴とする請求項１１に記載の楕円形ボルト。
【請求項１３】
ボルト頭部楕円形の部材１、２はサシ金φ２ｍｍ穴ふかさ６．５ｍｍ  １．７ｍｍのネジ山を設け、３はφ３ｍｍあなふかさ７．５ｍｍ  １．７ｍｍのネジ山を設けた。１、２は福サシ金、３は主サシ金です。形状は長方形の形をしており、部材３点でささえ、又６は全ネジを使用、部材を複数に入れ、「ハイパーロードナツト（登録商標）」スプリングナツト、「ハイパーロードナツトＫＨＩ（登録商標）」をそれぞれ組み合わせることを特徴とする請求項１２に記載の楕円形ボルト。
【請求項１４】
楕円形部分にあつさ８ｍｍのボルト頭部の表面に３ケ所の穴があいており、部材と弾性域としての耐久性、持続性、機能性が増し、ボルト軸に対しては、塑性域としての力が働き応力に対しては持続性、耐久性、機能性が強い事を特徴とする請求項１３に記載の楕円形ボルト。
【請求項１５】
９、４５°ないし１２０°の角度を要し、６、三角ネジ山を使用、又、台形ネジを使用します。Ｐ＝２  ＴＲ１２の規格を使用。ＳＵＳ３０４、ＳＵＳ４００など使用し、耐久性、機能性、持続性が増す事を特徴とする請求項１４に記載の楕円形ボルト。